(57)【要約】【課題】  テレビジョン放送受信機能が設けられた携帯電話機において、移動先の地域に対応する電子番組表を自動的に取得すると共に、電子番組表の取得に要する電力を削減して省電力化を図る。【解決手段】  制御部１８が、携帯電話機の現在位置に基づいてＥＰＧ配信テーブルを参照し、この現在位置に対応する地域で電子番組表の配信を行っているホスト局及び配信開始時刻を検出する。そして、この検出した配信開始時刻となった際にテレビジョンユニット１１を起動し、上記検出されたホスト局を選局制御して取得した電子番組表をメモリ１７に保存する。また、電子番組表の取得が完了した際に、テレビジョンユニット１１を停止制御する。これにより、移動先となる地域で配信されている電子番組表を自動的に取得することができる。また、電子番組表が配信されている間のみテレビジョンユニット１１を動作させ、電子番組表の取得に要する電力を削減できる。【選択図】  図２
2006319889.tif 000002
【特許請求の範囲】
【請求項１】
現在位置を検出する現在位置検出手段と、
電子番組表データが付加された放送信号を受信する放送信号受信手段と、
上記放送信号受信手段により受信された放送信号から、該放送信号に付加されている上記電子番組表データを抽出する電子番組表データ抽出手段と、
各地域に対応する電子番組表データの配信開始時刻、及び該電子番組表データを配信している放送局が記憶された電子番組表配信テーブルと、
現在時刻をカウントする計時手段と、
上記現在位置検出手段で検出された現在位置に基づいて上記電子番組表配信テーブルを参照することで、この現在位置に対応する地域で電子番組表データの配信を行っている放送局、及び電子番組表データの配信開始時刻を検出する放送局／配信開始時刻検出手段と、
上記計時手段でカウントされる現在時刻が、上記放送局／配信開始時刻検出手段で検出された電子番組表データの配信開始時刻となった際に、上記放送信号受信手段を起動制御し、上記放送局／配信開始時刻検出手段で検出された上記放送局を選局するように上記放送信号受信手段を選局制御すると共に、上記電子番組表データ抽出手段で、この選局した放送局の放送信号から抽出された電子番組表データを記憶手段に記憶制御する制御手段と
を有する携帯端末装置。
【請求項２】
請求項１に記載の携帯端末装置であって、
上記制御手段は、上記電子番組表データ抽出手段による上記電子番組表データの抽出処理が終了した際に、上記放送信号受信手段及び上記電子番組表データ抽出手段を停止制御すること
を特徴とする携帯端末装置。
【請求項３】
請求項１又は請求項２に記載の携帯端末装置であって、
上記制御手段は、上記記憶手段に記憶されている電子番組表データが対応する地域と同じ地域の電子番組表データが、上記電子番組表データ抽出手段で新たに抽出された場合、この新たに抽出された電子番組表データを、上記記憶手段に記憶されている古い電子番組表データ上に上書き処理し、上記記憶手段に記憶されている電子番組表データが対応する地域と異なる地域の電子番組表データが、上記電子番組表データ抽出手段で新たに抽出された場合、この新たに抽出された電子番組表データを、上記記憶手段に記憶されている他の地域の電子番組表データとは別に記憶するように並列書き込み処理を行うこと
を特徴とする携帯端末装置。
【請求項４】
請求項３に記載の携帯端末装置であって、
上記制御手段は、電子番組表の表示が指定された際に、上記現在位置検出手段で検出された現在位置に基づいて、上記記憶手段に記憶されている電子番組表データの中から、当該現在位置に対応する地域の電子番組表データを読み出して表示手段に表示制御すること
を特徴とする携帯端末装置。
【請求項５】
現在位置検出手段が、現在位置を検出するステップと、
放送局／配信開始時刻検出手段が、各地域に対応する電子番組表データの配信開始時刻、及び該電子番組表データを配信している放送局が記憶された電子番組表配信テーブルを、上記ステップで検出された現在位置に基づいて参照することで、この現在位置に対応する地域で電子番組表データの配信を行っている放送局、及び電子番組表データの配信開始時刻を検出するステップと、
計時手段でカウントされている現在時刻が、上記ステップで検出された電子番組表データの配信開始時刻となった際に、制御手段が、放送信号受信手段を起動制御して、上記ステップで検出された電子番組表データの放送局を選局するように該放送信号受信手段を選局制御するステップと、
制御手段が、上記ステップで選局された放送局の放送信号に付加されている電子番組表データを抽出するように電子番組表データ抽出手段を制御するステップと、
制御手段が、上記ステップで抽出された電子番組表データを記憶手段に記憶制御するステップと
を有する携帯端末装置の電子番組表取得方法。
【請求項６】
現在位置検出手段で検出された現在位置を取り込む現在位置取り込み手段としてコンピュータを機能させ、
コンピュータを上記現在位置取り込み手段として機能させることで取り込まれた現在位置に基づいて、各地域に対応する電子番組表データの配信開始時刻、及び該電子番組表データを配信している放送局が記憶された電子番組表配信テーブルを参照することで、この現在位置に対応する地域で電子番組表データの配信を行っている放送局、及び電子番組表データの配信開始時刻を検出する放送局／配信開始時刻検出手段としてコンピュータを機能させ、
計時手段でカウントされている現在時刻が、コンピュータを上記放送局／配信開始時刻検出手段として機能させることで検出された電子番組表データの配信開始時刻となった際に、放送信号受信手段を起動制御する起動制御手段としてコンピュータを機能させ、
コンピュータを上記放送局／配信開始時刻検出手段として機能させることで検出された電子番組表データの放送局を選局するように上記放送信号受信手段を選局制御する選局制御手段としてコンピュータを機能させ、
コンピュータを上記選局制御手段として機能させることで、上記放送信号受信手段により選局された放送局の放送信号に付加されている電子番組表データを抽出するように電子番組表データ抽出手段を制御する抽出制御手段としてコンピュータを機能させ、
コンピュータを上記抽出制御手段として機能させることで抽出された電子番組表データを記憶手段に記憶制御する記憶制御手段としてコンピュータを機能させること
を特徴とする携帯端末装置の電子番組表取得プログラム。
【発明の詳細な説明】
【技術分野】
【０００１】
本発明は、例えばテレビジョン放送やラジオ放送等の放送信号の受信ユニットを備えた携帯電話機，ＰＨＳ電話機（PHS：Personal Handyphone System）、ＰＤＡ装置（PDA：Personal Digital Assistant），ノート型のパーソナルコンピュータ装置等に設けて好適な携帯端末装置、携帯端末装置の電子番組表取得方法、及び携帯端末装置の電子番組表取得プログラムに関し、特に現在位置に対応する電子番組表を自動的に取得可能とした携帯端末装置、携帯端末装置の電子番組表取得方法、及び携帯端末装置の電子番組表取得プログラムに関する。
【背景技術】
【０００２】
今日において、所定の放送局（ホスト局）の放送信号に重畳されて配信される電子番組表（ＥＰＧ:Electronic Program Guide）が知られている。このＥＰＧデータの配信開始時刻は、各地域によって異なっており、ＥＰＧ対応機器を設置した場合、ユーザは当該機器が設置されている地域を予め選択設定する。ＥＰＧ対応機器側では、ユーザにより設定された地域に基づいて、ＥＰＧデータを配信しているホスト局及び配信開始時刻を認識し、ＥＰＧデータの配信開始時刻となった際に上記ホスト局を選局してＥＰＧデータの取得を行う。
【０００３】
特開２０００−２１７０８７号の公開特許公報（特許文献１）には、消費電力を削減したうえで、ＥＰＧデータを自動的に取得するディジタル放送受信装置が開示されている。
【０００４】
このディジタル放送受信装置は、当該装置が待機状態となっている場合において、計時部により現在時刻をカウントし、この現在時刻がＥＰＧデータの更新時刻となった際に、切替部が、信号処理部に対して電力供給を行うことで該信号処理部を起動させてＥＰＧデータを自動的に取得する。これにより、ＥＰＧデータを取得する間のみ信号処理部に対して電力供給を行うことができるため、待機状態時における消費電力を低減して、省電力化を図ることが可能となっている。
【０００５】
【特許文献１】特開２０００−２１７０８７号公報（第５頁：図４）
【発明の開示】
【発明が解決しようとする課題】
【０００６】
しかし、特許文献１に開示されているディジタル放送受信装置のように据え置き型の機器は、特定の場所に固定して用いられることが前提であるため、設置場所を移動した場合には、当該機器が設置される地域の設定をやり直さなければＥＰＧデータを自動的に取得できない問題がある。
【０００７】
一方、今日において、テレビジョン放送やラジオ放送等の放送受信機能を備えた携帯電話機が普及しつつあるが、携帯電話機は、持ち運ばれて使用される機器である。また、上述のようにＥＰＧデータのホスト局や配信開始時刻は各地域によって異なる。このため、携帯電話機にＥＰＧデータの取得機能を設けたとしても、ホスト局及び配信開始時刻が異なる地域に携帯電話機を移動させた場合には、上述の地域設定をやり直さなければＥＰＧデータの取得を行うことができないうえ、移動前の地域で取得したＥＰＧデータも、移動後の地域で有効に利用することができない問題を生ずる。
【０００８】
すなわち、普段、東京に在住するユーザは、取得地域を「東京」として設定することでＥＰＧデータの取得を行うのであるが、このユーザが出張等により「大阪」に移動した場合、「東京」と「大阪」では、ＥＰＧデータのホスト局及び配信開始時刻が異なるため、上述の地域設定をやり直さなければＥＰＧデータの取得を行うことができないうえ、移動前に東京で取得したＥＰＧデータも、移動後の大阪で有効に利用することができないのである。
【０００９】
本発明は、上述の課題に鑑みてなされたものであり、移動先の地域に対応するＥＰＧデータを自動的に取得することができるような携帯端末装置、携帯端末装置の電子番組表取得方法、及び携帯端末装置の電子番組表取得プログラムの提供を目的とする。
【課題を解決するための手段】
【００１０】
本発明に係る携帯端末装置は、上述の課題を解決するための手段として、
現在位置を検出する現在位置検出手段と、
電子番組表データが付加された放送信号を受信する放送信号受信手段と、
上記放送信号受信手段により受信された放送信号から、該放送信号に付加されている上記電子番組表データを抽出する電子番組表データ抽出手段と、
各地域に対応する電子番組表データの配信開始時刻、及び該電子番組表データを配信している放送局が記憶された電子番組表配信テーブルと、
現在時刻をカウントする計時手段と、
上記現在位置検出手段で検出された現在位置に基づいて上記電子番組表配信テーブルを参照することで、この現在位置に対応する地域で電子番組表データの配信を行っている放送局、及び電子番組表データの配信開始時刻を検出する放送局／配信開始時刻検出手段と、
上記計時手段でカウントされる現在時刻が、上記放送局／配信開始時刻検出手段で検出された電子番組表データの配信開始時刻となった際に、上記放送信号受信手段を起動制御し、上記放送局／配信開始時刻検出手段で検出された上記放送局を選局するように上記放送信号受信手段を選局制御すると共に、上記電子番組表データ抽出手段で、この選局した放送局の放送信号から抽出された電子番組表データを記憶手段に記憶制御する制御手段と
を有する。
【００１１】
また、本発明に係る携帯端末装置の電子番組表取得方法は、上述の課題を解決するための手段として、
現在位置検出手段が、現在位置を検出するステップと、
放送局／配信開始時刻検出手段が、各地域に対応する電子番組表データの配信開始時刻、及び該電子番組表データを配信している放送局が記憶された電子番組表配信テーブルを、上記ステップで検出された現在位置に基づいて参照することで、この現在位置に対応する地域で電子番組表データの配信を行っている放送局、及び電子番組表データの配信開始時刻を検出するステップと、
計時手段でカウントされている現在時刻が、上記ステップで検出された電子番組表データの配信開始時刻となった際に、制御手段が、放送信号受信手段を起動制御して、上記ステップで検出された電子番組表データの放送局を選局するように該放送信号受信手段を選局制御するステップと、
制御手段が、上記ステップで選局された放送局の放送信号に付加されている電子番組表データを抽出するように電子番組表データ抽出手段を制御するステップと、
制御手段が、上記ステップで抽出された電子番組表データを記憶手段に記憶制御するステップと
を有する。
【００１２】
また、本発明に係る携帯端末装置の電子番組表取得プログラムは、上述の課題を解決するために、
現在位置検出手段で検出された現在位置を取り込む現在位置取り込み手段としてコンピュータを機能させ、
コンピュータを上記現在位置取り込み手段として機能させることで取り込まれた現在位置に基づいて、各地域に対応する電子番組表データの配信開始時刻、及び該電子番組表データを配信している放送局が記憶された電子番組表配信テーブルを参照することで、この現在位置に対応する地域で電子番組表データの配信を行っている放送局、及び電子番組表データの配信開始時刻を検出する放送局／配信開始時刻検出手段としてコンピュータを機能させ、
計時手段でカウントされている現在時刻が、コンピュータを上記放送局／配信開始時刻検出手段として機能させることで検出された電子番組表データの配信開始時刻となった際に、放送信号受信手段を起動制御する起動制御手段としてコンピュータを機能させ、
コンピュータを上記放送局／配信開始時刻検出手段として機能させることで検出された電子番組表データの放送局を選局するように上記放送信号受信手段を選局制御する選局制御手段としてコンピュータを機能させ、
コンピュータを上記選局制御手段として機能させることで、上記放送信号受信手段により選局された放送局の放送信号に付加されている電子番組表データを抽出するように電子番組表データ抽出手段を制御する抽出制御手段としてコンピュータを機能させ、
コンピュータを上記抽出制御手段として機能させることで抽出された電子番組表データを記憶手段に記憶制御する記憶制御手段としてコンピュータを機能させる。
【００１３】
このような本発明は、放送局／配信開始時刻検出手段が、現在位置検出手段で検出された現在位置に基づいて電子番組表配信テーブルを参照することで、この現在位置に対応する地域で電子番組表データの配信を行っている放送局、及び電子番組表データの配信開始時刻を検出する。
【００１４】
そして、制御手段が、計時手段でカウントされる現在時刻が、放送局／配信開始時刻検出手段で検出された電子番組表データの配信開始時刻となった際に放送信号受信手段を起動制御し、放送局／配信開始時刻検出手段で検出された上記放送局を選局するように上記放送信号受信手段を選局制御すると共に、電子番組表データ抽出手段で、この選局した放送局の放送信号から抽出された電子番組表データを記憶手段に記憶制御する。これにより、当該機器の移動先となる地域で配信されている電子番組表データを自動的に取得することができる。
【発明の効果】
【００１５】
本発明は、現在位置検出手段で検出された現在位置に基づいて電子番組表配信テーブルを参照することで、この現在位置に対応する地域で電子番組表データの配信を行っている放送局、及び電子番組表データの配信開始時刻を検出する。そして、制御手段が、この検出した配信開始時刻となった際に、該検出された放送局を選局制御して電子番組表データの取り込みを行い記憶手段に記憶する。これにより、当該機器の移動先となる地域で配信されている電子番組表データを自動的に取得することができる。
【００１６】
また、本発明は、電子番組表データの取得が終了した際に、制御手段が放送信号受信手段及び電子番組表データ抽出手段を停止制御する。これにより、電子番組表データの配信の間のみ放送信号受信手段及び電子番組表データ抽出手段を動作させ、該電子番組表データの取得が終了したタイミングで放送信号受信手段及び電子番組表データ抽出手段を停止制御することができるため、消費電力の削減を図ることができる。
【００１７】
また、本発明は、記憶手段に既に記憶されている地域と同じ地域の電子番組表データが新たに抽出された場合、制御手段が、新たに検出された電子番組表データを、既に記憶されている古い電子番組表データに上書き処理し、電子番組表データ抽出手段で新たに抽出された電子番組表データが、記憶手段に既に記憶されている地域とは異なる地域の電子番組表データであった場合、制御手段が、新たに検出された電子番組表データを、既に記憶されている地域の電子番組表データとは別に記憶手段に記憶制御する。
【００１８】
これにより、ユーザが同じ地域に居続ける場合には、配信毎に新たな電子番組表データが記憶手段に上書きされていき、ユーザが異なる地域に移動した場合には、移動前の地域の電子番組表データに対して並記されるかたちで、移動先の地域の電子番組表データが記憶手段に記憶される。
【００１９】
従って、例えば午前中に東京に居たユーザが日帰り出張で午後から大阪に出張した場合、午前中は東京の地域の電子番組表データを用い、午後から大阪の地域の電子番組表データを用い、さらに出張から東京に日帰りしてから、午前中に取得した東京の地域の電子番組表データを用いることが可能となる。すなわち、どこに移動しても、常にその移動先の地域の電子番組表データを用いることを可能とすることができる。
【００２０】
また、本発明は、電子番組表の表示が指定された際に、制御手段が、現在位置検出手段で検出された現在位置に基づいて、記憶手段に記憶されている電子番組表データの中から、当該現在位置に対応する地域の電子番組表データを読み出して表示手段に表示制御する。これにより、現在位置に対応する電子番組表データを自動的に表示手段に表示することができ、本発明が適用される機器の利便性の向上を図ることができる。
【発明を実施するための最良の形態】
【００２１】
本発明は、携帯電話機に適用することができる。
【００２２】
［携帯電話機の構成］
図１に、本発明を適用した実施の形態となる携帯電話機のブロック図を示す。この図１に示すように、当該実施の形態の携帯電話機は、携帯事業者のコミュニケーションネットワークに接続された基地局との間でデータの送受信を行うアンテナ１及び通信回路２と、着信音，受話音声，動画ファイルの音声，音楽データの音声等を得るためのスピーカ部３と、送話音声等を集音するマイクロホン部４と、発着信電話番号、送信元，送信先となるユーザの名前、電話や携帯メールの発着信履歴、電話帳，アドレス帳、スケジュール帳、送受信した携帯メールの文章等の他、電子番組表（ＥＰＧ:Electronic Program Guide）を表示するための表示部５とを有している。
【００２３】
また、この携帯電話機は、数字入力や文字入力等の入力操作を行うための操作部６と、電話着信や携帯メールの着信等を光でユーザに知らせるための発光部７（ＬＥＤ：Light Emitting Diode）と、所望の被写体の静止画像及び動画像を撮像するためのカメラ部８と、電話着信や携帯メールの着信等を当該携帯電話機の筐体を振動させることでユーザに知らせるためのバイブレーションユニット９とを有している。
【００２４】
また、この携帯電話機は、所望のチャネルのテレビジョン放送を受信するためのテレビジョンアンテナ１０及びテレビジョンユニット１１と、所望のチャネルのラジオ放送を受信するためのラジオアンテナ１２及びラジオユニット１３と、現在時刻をカウントするタイマ１４と、大きな記憶容量の外部メモリ１５が接続される外部メモリインターフェイス１６（外部メモリＩＦ）とを有している。
【００２５】
上記テレビジョンユニット１１は、所望のテレビジョンチャンネルを選局するための選局部及び所定の放送局（ホスト局）の放送信号に重畳している電子番組表データを抽出するためのＥＰＧ検出回路を備えている。上記ラジオユニット１３も同様に、所望のラジオチャンネルを選局するための選局部及び所定のホスト局の放送信号に重畳している電子番組表データを抽出するためのＥＰＧ検出回路を備えている。
【００２６】
また、この携帯電話機は、各種アプリケーションプログラムの他、電話帳及びスケジュール帳のデータ、音楽データ、携帯メールの文書データ、及び上記カメラ部８で撮像された静止画像及び動画像の各データ等が記憶されたメモリ１７と、このメモリ１７に記憶されている各アプリケーションプログラム等に基づいて、当該携帯電話機全体の動作を制御する制御部１８とを有している。
【００２７】
上記メモリ１７には、上記基地局との間で無線通信を行うための通信処理プログラム（コミュニケーションプログラム）、カメラ機能を実現するカメラアプリケーションプログラム、及び音楽データを再生するための音楽プレーヤアプリケーションプログラムの他、上記テレビジョンユニット１１の選局制御等を行うためのテレビジョン信号処理プログラム、及び上記ラジオユニット１３の選局制御等を行うためのラジオ信号処理プログラムが記憶されている。
【００２８】
また、メモリ１７には、テレビジョンユニット１１及びラジオユニット１３に設けられている各ＥＰＧ検出回路で抽出された電子番組表データの記憶制御等を行うためのＥＰＧ処理プログラムと、基地局から送信される位置情報に基づいて当該携帯電話機の現在位置を検出するための位置検出プログラムと、各地域毎の電子番組表データのホスト局及び配信開始時刻がテーブル化されたＥＰＧ配信テーブルとが記憶されている。
【００２９】
なお、この例では、当該携帯電話機の現在位置は、基地局から送信される位置情報に基づいて検出することとして説明を進めるが、図１に点線のブロックで示すようにＧＰＳアンテナ１９及びＧＰＳユニット２０を設け（ＧＰＳ：Global Positioning System）、このＧＰＳアンテナ１９及びＧＰＳユニット２０で当該携帯電話機の現在位置を検出するようにしてもよい。
【００３０】
また、この携帯電話機においては、各ＥＰＧ検出回路で抽出された電子番組表データはメモリ１７（或いは外部メモリ１６）に記憶されるのであるが、このメモリ１７に既に電子番組表データが記憶されている場合に、新たに抽出された電子番組表データを、既存の電子番組表データに上書きするか、或いは既存の電子番組表データとは別に記憶（並記）するかをユーザが予め設定するようになっている。このため、メモリ１７には、このユーザにより予め設定された、上記電子番組表データの上書き或いは並記を示す情報が記憶されている。
【００３１】
［電子番組表の取得動作］
次に、この携帯電話機の電子番組表の取得動作を説明する。なお、以下、テレビジョン放送の電子番組表を取得する場合を例として説明を進めるが、ラジオ放送の電子番組表を取得する動作もこのテレビジョン放送の電子番組表を取得する動作と同様であるため、以下の説明を参照されたい。
【００３２】
図３のフローチャートに、この携帯電話機における電子番組表データの取得動作の流れを示す。このフローチャートは、当該携帯電話機のメイン電源が投入されることでスタートとなり、ステップＳ１から処理が実行される。
【００３３】
ステップＳ１では、制御部１８が、メモリ１７に記憶されている位置検出プログラムに基づいて、基地局から送信される位置情報から当該携帯電話機の現在位置を検出してステップＳ２に処理を進める。なお、上述のようにＧＰＳアンテナ１９及びＧＰＳユニット２０により当該携帯電話機の現在位置を検出するようにしてもよい。
【００３４】
ステップＳ２では、制御部１８が、メモリ１７に記憶されているＥＰＧ処理プログラムに基づいて、該メモリ１７に記憶されているＥＰＧ配信テーブルを参照し、上記ステップＳ１で検出された現在位置に対応する地域で電子番組表を配信しているテレビジョン放送局（ホスト局）及びその配信開始時刻を検出して処理をステップＳ３に進める。
【００３５】
図３に、ＥＰＧ配信テーブルの一例を示す。この図３からわかるようにＥＰＧ配信テーブルには、例えば北海道地域・・・関東地域・・・沖縄地域等のように各地域毎のホスト局及び電子番組表データの配信開始時刻がテーブル化されて記憶されている。制御部１８は、ステップＳ１で検出された現在位置に対応する地域が「北海道」の地域に属する場合は、このＥＰＧ配信テーブルの「北海道」の項を参照することで、ホスト局は「Ａ放送局」、配信開始時刻は７：０５、１１：０５、１５：０５、１７：０５、２４：３０との検出結果を得ることとなる。同様に、制御部１８は、ステップＳ１で検出された現在位置に対応する地域が「関東」の地域に属する場合は、このＥＰＧ配信テーブルの「関東」の項を参照することで、ホスト局は「Ｂ放送局」、配信開始時刻は５：０５、１１：０５、１４：３０、１８：３０、２４：３０との検出結果を得ることとなる。
【００３６】
このように当該携帯電話機の現在位置に対応するホスト局及び配信開始時刻を検出すると、制御部１８は、ステップＳ３において、この検出した配信開始時刻とタイマ１４でカウントされている現在時刻とを比較し、現在時刻が電子番組表データの配信開始時刻となったか否かを判別する。そして、現在時刻が電子番組表データの配信開始時刻となったことを検出したタイミングで処理をステップＳ４に進める。
【００３７】
ステップＳ４では、現在時刻が電子番組表データの配信開始時刻となったため、制御部１８が、メモリ１７に記憶されているテレビジョン信号処理プログラムに基づいて、現在、停止制御されているテレビジョンユニット１１を起動制御する。また、メモリ１７に記憶されているＥＰＧ処理プログラムに基づいて、ステップＳ２で検出したホスト局（＝当該携帯電話機の現在位置が属する地域で電子番組表の配信を行っているテレビジョン放送局）を選局するように、テレビジョンユニット１１の選局部を選局制御すると共に、このホスト局の放送信号に重畳され配信されている電子番組表データを抽出するようにＥＰＧ検出回路を制御して処理をステップＳ５に進める。
【００３８】
ステップＳ５では、制御部１８が、電子番組表データの抽出処理が完了したか否かを判別し、電子番組表データの抽出処理が完了したタイミングで処理をステップＳ６に進める。
【００３９】
ステップＳ６では、電子番組表データの抽出処理が完了したため、制御部１８が、上記ＥＰＧ処理プログラムに基づいて、テレビジョンユニット１１を停止制御する。これにより、当該携帯電話機の現在位置に対応する地域の電子番組表を自動的に取得することができる。また、電子番組表データの配信開始時刻のタイミングでテレビジョンユニット１１を起動制御し、電子番組表データの抽出処理が完了したタイミングでテレビジョンユニット１１を停止制御することで、電子番組表データが配信されている間のみテレビジョンユニット１１を動作させることができ、大幅な消費電力の削減を図ることができる。
【００４０】
次に、この新たに取得された電子番組表はメモリ１７に記憶制御されるのであるが、当該携帯電話機の場合、メモリ１７に既に電子番組表データが記憶されている場合には、新たに抽出された電子番組表を、既存の電子番組表に上書きするか、或いは既存の電子番組表とは別に記憶（並記）するかをユーザが予め設定するようになっている。この上書き／並記を示す情報は、メモリ１７に記憶されている。このため、制御部１８は、電子番組表データの抽出処理が完了すると、ステップＳ７においてメモリに記憶されている上書き／並記を示すユーザ設定情報を参照する。そして、ステップＳ８において、ユーザにより上書き設定がなされているか否かを判別し、ユーザにより上書き設定がなされていた場合には処理をステップＳ１１に進め、ユーザにより上書き設定がなされていない場合（＝並記設定がなされたいた場合）には処理をステップＳ９に進める。
【００４１】
ユーザにより上書き設定がなされていた場合に処理をステップＳ１１に進めると、制御部１８は、このステップＳ１１において、メモリ１７に記憶されている既存の電子番組表データに、上記ステップＳ４で抽出された新たな電子番組表データに上書き処理する。これにより、当該携帯電話機の現在位置が属する地域の最新の電子番組表がメモリ１７に保存されることとなる。
【００４２】
一方、ユーザにより並記設定がなされていた場合に処理をステップＳ９に進めると、制御部１８は、このステップＳ９において、メモリ１７に記憶されている既存の電子番組表データが対応する地域は、上記ステップＳ４で抽出された新たな電子番組表データが対応する地域と同じ地域であるか否かを判別する。換言すると、制御部１８は、上記ステップＳ４で抽出された新たな電子番組表データが対応する地域と同じ地域の電子番組表データが既にメモリ１７に記憶されているか否かを判別する。
【００４３】
新たな電子番組表データが対応する地域と同じ地域の電子番組表データが既にメモリ１７に記憶されていた場合、過去の電子番組表データを保存しておいてもあまり意味がないため、制御部１８は処理をステップＳ１１に進め、ユーザにより並記設定がなされている場合でも、過去の電子番組表データに新たな電子番組表データを上書き処理する。
【００４４】
なお、この例では、同じ地域の電子番組表データである場合は上書き処理することとしたが、ユーザにより並記設定がなされている場合は、同じ地域の電子番組表データであっても過去の電子番組表データを保存したままで、新たな電子番組表データを並記するようにしてもよい。
【００４５】
これに対して、新たな電子番組表データが対応する地域と、既にメモリ１７に記憶されている電子番組表データが対応する地域とが異なる場合、制御部１８は処理をステップＳ１０に進め、既にメモリ１７に記憶されている電子番組表データとは別に、新たな電子番組表データをメモリ１７に記憶制御する。これにより、異なる地域の各電子番組表データがそれぞれメモリ１７に記憶制御されることとなる。
【００４６】
従って、例えば午前中に東京に居たユーザが日帰り出張で午後から大阪に出張した場合、午前中は東京の地域の電子番組表データを用い、午後から大阪の地域の電子番組表データを用い、さらに出張から東京に日帰りしてから、午前中に取得した東京の地域の電子番組表データを用いることが可能となる。
【００４７】
［電子番組表の表示動作］
このように各地域毎の電子番組表データがメモリ１７に記憶されるのであるが、当該携帯電話機においては、電子番組表の表示指示がなされた際に、この各地域毎の電子番組表のうち、当該携帯電話機の現在位置が属する地域に対応する電子番組表を自動的に表示するようになっている。
【００４８】
図４のフローチャートに、この電子番組表の表示動作の流れを示す。この図４のフローチャートは、当該携帯電話機のメイン電源が投入されることでスタートとなる。ユーザは、操作部６を操作することで、電子番組表の表示指示を行うのであるが、制御部１８は、メモリ１７に記憶されているＥＰＧ処理プログラムに基づいて、この電子番組表の表示指示操作を監視しており、ステップＳ２１において、この表示指示操作を検出した際に処理をステップＳ２２に進める。
【００４９】
ステップＳ２２では、制御部１８は、メモリ１７に記憶されている位置検出プログラムに基づいて、基地局から送信される位置情報から当該携帯電話機の現在位置を検出して処理をステップＳ２３に進める。
【００５０】
ステップＳ２３では、制御部１８が、上記ＥＰＧ処理プログラムに基づいてメモリ１７を検索することで、上記ステップＳ２２で検出された当該携帯電話機の現在位置に対応する地域の電子番組表がメモリ１７に記憶されているか否かを判別する。当該携帯電話機の現在位置に対応する地域の電子番組表がメモリ１７に記憶されていない場合には、表示する電子番組表が存在しないため、制御部１８は、ステップＳ２５において、例えば「電子番組表が取得されていません」等のエラーメッセージを表示部５に表示制御する。
【００５１】
これに対して、当該携帯電話機の現在位置に対応する地域の電子番組表がメモリ１７に記憶されていた場合には、制御部１８は、ステップＳ２４において、この現在位置に対応する電子番組表をメモリ１７から読み出し、これを表示部５に表示制御する。これにより、ユーザの現在位置に対応する電子番組表が自動的に表示されることとなる。このため、ユーザが、どこに移動しても、常にその移動先の地域に対応する電子番組表を用いることを可能とすることができる。
【００５２】
［実施の形態の効果］
以上の説明から明らかなように、この実施の形態の携帯電話機は、当該携帯電話機の現在位置に基づいてＥＰＧ配信テーブルを参照することで、この現在位置に対応する地域で電子番組表の配信を行っているホスト局、及び電子番組表の配信開始時刻を検出する。そして、制御部１８が、この検出した配信開始時刻となった際に、該検出されたホスト局を選局制御して電子番組表データを取得してメモリ１７に保存する。これにより、当該携帯電話機の移動先となる地域で配信されている電子番組表を自動的に取得することができる。
【００５３】
また、電子番組表の取得が完了した際に、制御部１８がテレビジョンユニット１１を停止制御する。これにより、電子番組表が配信されている間のみテレビジョンユニット１１を動作させ、該電子番組表の取得が完了したタイミングでテレビジョンユニット１１を停止制御することができるため、消費電力の削減を図ることができる。
【００５４】
また、メモリ１７に既に記憶されている電子番組表の地域と同じ地域の電子番組表が新たに取得された場合、制御部１８は、この新たに取得された電子番組表を、既に記憶されている古い電子番組表に上書き処理する。また、新たに取得された電子番組表が、メモリ１７に既に記憶されている地域とは異なる地域の電子番組表であった場合、制御部１８は、この新たに取得された電子番組表を、既に記憶されている電子番組表とは別にメモリ１７に保存する。
【００５５】
これにより、ユーザが同じ地域に居続ける場合には、配信毎に新たな電子番組表がメモリ１７に上書きされていき、ユーザが異なる地域に移動した場合には、移動前の地域の電子番組表に対して並記されるかたちで、移動先の地域の電子番組表がメモリ１７に記憶される。これにより、どこに移動しても、常にその移動先の地域の電子番組表を用いることを可能とすることができる。
【００５６】
また、電子番組表の表示が指定された際に、制御部１８が、メモリ１７に記憶されている電子番組表の中から、当該携帯電話機の現在位置に対応する地域の電子番組表を読み出して表示部５に表示制御する。これにより、現在位置に対応する電子番組表データを自動的に表示部５に表示することができ、当該携帯電話機の利便性の向上を図ることができる。
【００５７】
［変形例］
上述の実施の形態の説明では、本発明を携帯電話機に適用することとしたが、本発明は、ＰＨＳ電話機（PHS：Personal Handyphone System）、ＰＤＡ装置（PDA：Personal Digital Assistant）、或いはノート型のパーソナルコンピュータ装置等に適用してもよい。
【００５８】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００５９】
【図１】本発明を適用した実施の形態の携帯電話機のブロック図である。
【図２】実施の形態の携帯電話機の電子番組表の取得動作の流れを示すフローチャートである。
【図３】実施の形態の携帯電話機に設けられているＥＰＧ配信テーブルの模式図である。
【図４】実施の形態の携帯電話機の電子番組表の表示動作の流れを示すフローチャートである。
【符号の説明】
【００６０】
１  アンテナ、２  通信回路、３  スピーカ部、４  マイクロホン部、５  表示部、６  操作部、７  発光部（ＬＥＤ）、８  カメラ部、９  バイブレーションユニット、１０  テレビジョンアンテナ、１１  テレビジョンユニット、１２  ラジオアンテナ、１３  ラジオ受信ユニット、１４  タイマ、１５  外部メモリ、１６  外部メモリインターフェイス（外部メモリＩＦ）、１７  メモリ、１８  制御部、１９  ＧＰＳアンテナ、２０  ＧＰＳユニット
【図１】
2006319889.tif 000003
【図２】
2006319889.tif 000004
【図３】
2006319889.tif 000005
【図４】
2006319889.tif 000006